(57)【特許請求の範囲】
【請求項１】
迅速接続連結アセンブリであって、
迅速接続であって、
第１端部、
第２端部、
第１放射方向外向き表面、
第１放射方向内向き表面、
第２放射方向内向き表面、及び
前記第１放射方向外向き表面から前記第１放射方向内向き表面まで延在する少なくとも１つの開口を含む迅速接続と、
前記迅速接続に取外し可能に確保されるように作動可能に配列された表示器タブであって、前記表示器タブは、高周波表示（ＲＦＩＤ）タグと、少なくとも１つのアームを備え、前記少なくとも１つのアームは、少なくとも１つの開口を通って、前記第１放射方向内向き表面から放射方向内向きに延在するように配列されている、表示器タブと、を備える迅速接続連結アセンブリ。
【請求項２】
前記第１放射方向外向き表面は、
第１周囲溝と、
前記第１周囲溝内に周方向に配置された１つ又は複数の開口と、を備える、請求項１に記載の迅速接続連結アセンブリ。
【請求項３】
前記第１周囲溝内に配設されて、１つ又は複数の突起を有する保持クリップを更に備え、前記１つ又は複数の突起のそれぞれは、前記第１周囲溝内に配置された前記１つ又は複数の開口のそれぞれを係合する、請求項２に記載の迅速接続連結アセンブリ。
【請求項４】
前記迅速接続を接続されるように配列されたチューブ端部形状を更に備え、前記チューブ端部形状は、
第３端部と、
第４端部と、
第２放射方向外向き表面と、
第３放射方向外向き表面と、
前記第２放射方向外向き表面上に配列された第２周囲溝と、を備える、請求項３に記載の迅速接続連結アセンブリ。
【請求項５】
前記１つ又は複数の突起のそれぞれは、前記第１周囲溝内に配置された前記１つ又は複数の開口のそれぞれを通って延在して、前記第２周囲溝を係合する、請求項４に記載の迅速接続連結アセンブリ。
【請求項６】
完全接続状態において、
前記チューブ端部形状の前記第３端部は、前記第３放射方向外向き表面が前記第２放射方向内向き表面に近接した状態に配列されるまで、前記迅速接続の前記第２端部中に挿入され、
前記第３放射方向外向き表面は、前記少なくとも１つのアームを係合し、
前記表示器タブは、前記迅速接続から取外し可能である、請求項５に記載の迅速接続連結アセンブリ。
【請求項７】
不完全接続状態において、前記表示器タブは、前記迅速接続から取外し可能ではない、請求項５に記載の迅速接続連結アセンブリ。
【請求項８】
前記表示器タブは、２つのアームを備え、前記迅速接続は、２つの開口を備える、請求項１に記載の迅速接続連結アセンブリ。
【請求項９】
前記第２放射方向内向き表面は、円錐台形である、請求項１に記載の迅速接続連結アセンブリ。
【請求項１０】
前記第３放射方向外向き表面は、円錐台形である、請求項４に記載の迅速接続連結アセンブリ。
【請求項１１】
迅速接続連結アセンブリであって、
迅速接続であって、
第１端部、
第２端部、
第１放射方向外向き表面、
第１放射方向内向き表面、
第２放射方向内向き表面、及び
前記第１放射方向外向き表面から前記第１放射方向内向き表面まで延在する少なくとも１つの開口を含む迅速接続と、
前記迅速接続に取外し可能に確保されるように作動可能に配列された表示器タブであって、前記表示器タブは、
外側表面、及び
舌状部を有する少なくとも１つのタブであって、前記少なくとも１つのタブは、前記少なくとも１つの開口を通って、前記第１放射方向内向き表面から放射方向内向きに延在するように配列されている、表示器タブと、を備え、
前記迅速接続連結アセンブリの完全な接続状態では、前記外側表面は前記第１放射方向外向き表面から突き出て、
前記迅速接続連結アセンブリの不完全な接続状態では、前記外側表面は前記第１放射方向外向き表面と同一平面となる、
迅速接続連結アセンブリ。
【請求項１２】
前記第１放射方向外向き表面は、
第１周囲溝と、
前記第１周囲溝内に周方向に配列された１つ又は複数の開口と、を備える、請求項１１に記載の迅速接続連結アセンブリ。
【請求項１３】
前記第１周囲溝内に配列されて、１つ又は複数の突起を有する保持クリップを更に備え、前記１つ又は複数の突起のそれぞれは、前記第１周囲溝内に配置された前記１つ又は複数の開口のそれぞれを係合する、請求項１２に記載の迅速接続連結アセンブリ。
【請求項１４】
前記迅速接続を接続されるように配列されたチューブ端部形状を更に備え、前記チューブ端部形状は、
第３端部と、
第４端部と、
第２放射方向外向き表面と、
第３放射方向外向き表面と、
前記第２放射方向外向き表面上に配列された第２周囲溝と、を備える、請求項１３に記載の迅速接続連結アセンブリ。
【請求項１５】
前記１つ又は複数の突起のそれぞれは、前記第１周囲溝内に配置された前記１つ又は複数の開口のそれぞれを通って延在して、前記第２周囲溝を係合する、請求項１４に記載の迅速接続連結アセンブリ。
【請求項１６】
完全接続状態において、
前記チューブ端部形状の前記第３端部は、前記第３放射方向外向き表面が前記第２放射方向内向き表面に近接した状態に配列されるまで、前記迅速接続の前記第２端部中に挿入
され、
前記第３放射方向外向き表面は、前記少なくとも１つのタブを係合し、
前記表示器タブの前記外側表面は、前記第１放射方向外向き表面から突出する、請求項１５に記載の迅速接続連結アセンブリ。
【請求項１７】
完全接続状態において、
前記チューブ端部形状の前記第３端部は、前記第３放射方向外向き表面が前記第２放射方向内向き表面に近接した状態に配列されるまで、前記迅速接続の前記第２端部中に挿入され、
前記第３放射方向外向き表面は、前記少なくとも１つのタブを係合し、
前記表示器タブは、前記迅速接続から少なくとも部分的に排出される、請求項１５に記載の迅速接続連結アセンブリ。
【請求項１８】
不完全接続状態において、前記表示器タブの前記外側表面は、前記第１放射方向外向き表面と同一平面にある、請求項１５に記載の迅速接続連結アセンブリ。
【請求項１９】
前記第３放射方向外向き表面は、円錐台形である、請求項１４に記載の迅速接続連結アセンブリ。
【発明の詳細な説明】
【技術分野】
【０００１】
関連出願の相互参照
本出願は、２０１７年８月１４日に出願された米国仮特許出願第６２／５４５，１２３号についての、工業所有権保護に関するパリ同盟条約のストックホルム改正条約第４条及び８条の下の利益、及び米国特許法第１１１条（ａ）及び１２０条の下の利益を主張し、この出願は、その全体が参照によって本明細書に組み込まれる。
【０００２】
本開示は、迅速接続連結に関し、より詳細には、連結が完全に係合されたことを示すための表示器を有する迅速接続連結アセンブリに関する。
【背景技術】
【０００３】
迅速切断又は迅速解放結合器とも呼ばれる、迅速接続取付け部品が、流体輸送ラインの高速で成否を握る連結を提供するために用いられる結合器である。手で作動させられて、迅速接続取付け部品が、レンチを必要とする、ねじ付き又はフランジ付き接続に置き替わる。自己密封式バルブが備わるとき、迅速接続取付け部品は、切断の際に、ライン中に自動的にいくらかの流体を含有することになる。迅速接続結合器を利用する大量生産作業中に、アセンブルプロセス中の誤差が、完全に係合又は接続されていない迅速接続結合器をもたらすことがある。
【発明の概要】
【課題を解決するための手段】
【０００４】
本明細書に示された態様に従って、迅速接続連結アセンブリが提供され、当該アセンブリは、急速接続であって、第１端部、第２端部、第１放射方向外向き表面、第１放射方向内向き表面、第２放射方向内向き表面、及び第１放射方向外向き表面から第１放射方向内向き表面まで延在する少なくとも１つの開口を含む迅速接続と、迅速接続に取外し可能に確保されるように作動可能に配列された表示器タブであって、表示器タブは、少なくとも１つのアームを備え、少なくとも１つのアームは、少なくとも１つの開口を通って、第１放射方向内向き表面から放射方向内向きに延在するように配列されている、表示器タブと、を備える。
【０００５】
本明細書に示された態様に従って、迅速接続連結アセンブリが提供され、迅速接続連結アセンブリは、迅速接続であって、第１端部、第２端部、第１放射方向外向き表面、第１放射方向内向き表面、第２放射方向内向き表面、及び第１放射方向外向き表面から第１放射方向内向き表面まで延在する少なくとも１つの開口を含む迅速接続と、迅速接続に取外し可能に確保されるように作動可能に配列された表示器タブであって、表示器タブは、外側表面、及び舌状部を有する少なくとも１つのタブを含み、少なくとも１つのタブは、少なくとも１つの開口を通って、第１放射方向内向き表面から放射方向内向きに延在するよう配列されている、表示器タブと、を備える。
【０００６】
表示器タブを有する迅速接続の１つの目的は、結合器が完全に接続されていることを保証するための表示方法を提供することである。
【０００７】
本開示のこれら及び別の目的、特徴及び利点が、図面及び添付請求項を考慮すれば、本開示の以下の詳細な説明の精査に基づいて容易に明らかになることになる。
【図面の簡単な説明】
【０００８】
対応する参照記号が対応する部分を表示する添付図面を参照して、様々な実施形態が単に例として開示される。
【図１】連結アセンブリの斜視図である。
【図２】図１に表された連結アセンブリの分解斜視図である。
【図３】図１に表された表示器タブの斜視図である。
【図４】図１に表された迅速接続の斜視図である。
【図５】概して線５−５に沿ってとられた図１に表された連結アセンブリの断面図である。
【図６】連結アセンブリの斜視図である。
【図７】図６に表された連結アセンブリの分解斜視図である。
【図８】図６に表された表示器タブの斜視図である。
【図９】図６に表された迅速接続の斜視図である。
【図１０】概して線１０−１０に沿ってとられた図６に表された連結アセンブリの断面図である。
【発明を実施するための形態】
【０００９】
初めに、当然のことながら、異なる図における類似する図番号は、同一又は機能的に類似する構造要素を識別する。請求項が開示態様に限定されないことを理解されるべきである。
【００１０】
更に、本開示は、記載された特定の方法、材料及び修正に限定されず、もちろん、変化してもよいと理解される。また、本明細書で用いられる用語は、特定の態様を説明するためのものであり、請求項の範囲を限定することを目的としないと理解される。
【００１１】
別途規定されない限り、本明細書で用いられる全ての技術的及び科学的用語は、本開示に関連する当業者が一般的に理解するのと同じ意味を有する。本明細書に記載されたものに類似又は均等な任意の方法、装置又は材料が、例示の実施形態の実施又は試験において用いられてもよいことが理解されるべきである。本開示のアセンブリは、液圧技術、電子装置及び／又は空気圧技術によって駆動されてもよい。
【００１２】
当然のことながら、用語「実質的に」は、「ほとんど」、「極めてほとんど」、「約」、「ほぼ」、「付近」、「接する」、「近い」、「本質的に」、「の近くの」、「の近傍の」等の用語と同義であり、かかる用語は、明細書及び請求項内に現れる際に交換可能に用いられてもよい。当然のことながら、用語「に近接した」は、「近くの」、「近い」、「隣接した」、「隣接する」、「ごく近い」、「隣接する」等の用語と同義であり、かかる用語は、明細書及び請求項内に現れる際に交換可能に用いられてもよい。用語「ほぼ」は、指定値の１０パーセント範囲内の値を意味することが意図される。
【００１３】
「非回転状態で接続された」要素とは、要素が、要素のうちの１つが回転するときは何時でも全ての要素が回転し、要素間の相対回転が起こり得ないように接続されていることを意味する。互いに対して回転不可能に接続された要素の半径方向及び／又は軸方向移動は、可能ではあるけれども、必須ではない。
【００１４】
ここで図に言及すると、図１は、連結アセンブリ１０の斜視図である。図２は、連結アセンブリ１０の分解斜視図である。連結アセンブリ１０は、概して、チューブ端部形状２０と、表示器タブ４０と、迅速接続６０と、保持クリップ９０と、を備える。
【００１５】
チューブ端部形状２０は、概して、端部２２と、放射方向外向き表面２４と、放射方向外向き表面２６と、放射方向外向き表面３０と、端部３２と、を備える円筒形チューブである。放射方向外向き表面２６は、截頭円錐形であり、端部２２から端部３２に向かう軸線方向に直径が増加する。放射方向外向き表面２４及び３０は、円筒形であり、一定直径を有する。例示の実施形態において、放射方向外向き表面２４及び３０は、可変直径を有する。放射方向外向き表面３０は、チャネル２８内に配列されてもよい。チューブ端部形状２０は、最初に端部７４中に挿入される端部２２を用いて迅速接続６０中に挿入されるように配列されており、その態様が以下で更に詳細に論じられることになる。一旦チューブ端部形状２０が迅速接続６０中に完全に挿入されると、表示器タブ４０は、迅速接続６０から取り外されてもよい。しかし、チューブ端部形状２０が迅速接続６０中に完全に挿入されていない場合、表示器タブ４０は、迅速接続６０から取り外されなくてもよい。
【００１６】
保持クリップ９０は、１つ又は複数の突起を備え、当該突起は、迅速接続６０内の開口を係合して、その中のチューブ端部形状２０を係止するように配列されている。表されている実施形態において、保持クリップ９０は、端部９４と、端部９６と、突起９２Ａ〜Ｃと、を備える。保持クリップ９０は、弾性変形可能な材料、例えば、ワイヤクリップ、保持リング又は任意の別の好適なクリップを備える。
【００１７】
図３は、表示器タブ４０の斜視図である。表示器タブ４０は、ハンドル４２と、アーム４６と、アーム４８と、を含む。ハンドル４２は、概して曲線であって、端部４３Ａと、端部４３Ｂと、放射方向内向き表面４４と、を含む。アーム４６は、端部４３Ａに配列され、放射方向内向き表面４４から放射方向内向きに延在する。アーム４８は、端部４３Ｂに配列され、放射方向内向き表面４４から放射方向内向きに延在する。アーム４６及び４８は、迅速接続６０の開口６６及び６８を係合するように配列されており、その態様が以下で更に詳細に論じられることになる。例示の実施形態において、ハンドル４２は、Ｃ形状であるけれども、当然のことながら、ハンドル４２は、不完全長方形、不完全正方形、ｖ形、Ｕ形、不完全楕円形等の、迅速接続６０を係合するのに適した任意の形状であってもよい。ハンドル４２は、開口５０を更に備えてもよい。表示器タブ４０は、弾性変形可能である材料を備える。元の非変形状態において、アーム４６と４８とは、距離Ｌ１だけ分離している。ハンドル４２は、弾性変形可能であることにより、アーム４６と４８とは、距離Ｌ１よりも大きい距離Ｌ２（図示せず）だけ分離している。例示の実施形態において、表示器タブ４０が高周波識別（ＲＦＩＤ）タグ５２を更に含むことにより、表示器タブ４０は、自動的に識別されて追跡されてもよい。表示器タブ４０は、一旦チューブ端部形状２０が迅速接続６０中に完全に挿入されると、迅速接続６０から取り外されるだけでもよく、それによって完全係合連結（以下で更に詳細に論じられる）を保証する。このように、連結アセンブリを走査することにより、表示器タブ４０が依然として迅速接続６０に接続されているか否かを決定し得ることが有益であろう。また、表示器タブ廃棄受口を走査することにより、表示器タブ４０が取り外されて適切に廃棄されたか否かを決定することが有益であろう。しかし、当然のことながら、表示器タブ４０は、表示器タブ４０が迅速接続６０から既に取り外されている否かを決定するのに適した任意の追跡装置を備えてもよい。
【００１８】
図４は、迅速接続６０の斜視図である。迅速接続６０は、概して、端部６２と、放射方向外向き表面６４Ａと、放射方向外向き表面６４Ｂと、溝７０と、端部７４と、放射方向内向き表面７８と、放射方向内向き表面８０と、を備える円筒形チューブである。放射方向外向き表面６４Ａは、開口６６及び６８を備える。開口６６は、表面６７を備え、開口６８は、表面６９（図示せず）を備える。いくつかの実施形態では、開口６６と６８とは、実質的に類似し、直径方向に対向している。アーム４６及び４８は、開口６６及び６８を係合し、表示器タブ４０を迅速接続６０に接続するように作動可能に配列される。表示器タブ４０を迅速接続６０にアセンブルするとき、端部４３Ａと４３Ｂとが離れるように広げられ（すなわち、ハンドル４２を弾性的に変形させ）、そして、アーム４６及び４８は、それぞれ表面６７及び６９上に配列され、放射方向内向き表面４４が、放射方向外向き表面６４Ａに向かって配列される。ハンドル４２は、次いで、アーム４６及び４８がそれぞれ開口６６及び６８中にスナップ留めするまで、放射方向内向きに（すなわち、放射方向外向き表面６４Ａに向かって）押し込まれる。当然のことながら、アーム４６及び４８は、単に表示器タブ４０を１８０度だけ回転させることによって、それぞれ開口６８及び６６中にスナップ留めされてもよい。アーム４６及び４８が適所にスナップ留めし、応力が、端部４３Ａ及び４３Ｂから除去されて、表示器タブ４０は、それの元の非変形形状まで戻り、アーム４６と４８とは、距離Ｌ１だけ離れて間隔が空いている。当然のことながら、放射方向外向き表面６４Ａは、表示器タブ４０をそれに取外し可能に接続するのに適した任意の数の開口を備えてもよい。例えば、放射方向外向き表面６４Ａは、１つ又は複数の開口を備えてもよい。溝７０は、放射方向外向き表面６４Ａと６４Ｂとの間に軸方向に配列され、１つ又は複数の開口、例えば、開口７２Ａ〜Ｃを備える。保持クリップ９０が溝７０内に作動可能に配列されることにより、突起９２Ａ、９２Ｂ及び９２Ｃは、それぞれ開口７２Ａ、７２Ｂ及び７２Ｃを係合する。当然のことながら、保持クリップ９０の特定の突起が、迅速接続６０の特定の開口に割り当てられる必要はない。例えば、突起９２Ａ、９２Ｂ及び９２Ｃは、開口７２Ｃ、７２Ｂ及び７２Ａを又は任意の別の適した組合せをそれぞれ係合するように配列されてもよい。放射方向内向き表面８０は、円錐台形であり、端部６２から端部７４に向かって軸線方向に直径が増加する。放射方向内向き表面７８は、円筒形であり、一定直径Ｄ１を有する。例示の実施形態において、放射方向内向き表面７８は、可変直径を有する。放射方向外向き表面６４Ｂは、切欠き７６を更に備えてもよく、当該切欠きは、端部７４から端部６２に向かって軸方向に延在する。
【００１９】
表示器タブ４０が迅速接続６０にアセンブルされると、アーム４６及び４８は、それぞれ開口６６及び６８を通って延在する。表示器タブ４０は、アーム４６と４８とが距離Ｌ２（図示せず）だけ分離しているように変形させられ、当該距離Ｌ２は距離Ｌ１よりも大きい。距離Ｌ２は、例えば、表面６７と６９（図示せず）との間の直線距離であってもよい。アーム４６及び４８は、適所にスナップ留めし、放射方向内向き表面７８から放射方向内向きに突出する、つまり、距離Ｌ１は、直径Ｄ１未満である。チューブ端部形状２０が、迅速接続６０中に挿入されると、放射方向外向き表面２６は、アーム４６及び４８を係合し、アーム４６と４８との間の距離が増加するように表示器タブ４０を変形させる。チューブ端部形状２０が迅速接続６０中に完全に挿入されると、アーム４６と４８とは、距離Ｌ２（図示せず）だけ分離しており、このことは、表示器タブ４０を迅速接続６０から取り外すことを可能にする。チューブ端部形状２０が迅速接続６０と完全に係合されるまで、表示器タブ４０を迅速接続６０から取り外すことが可能ではない。
【００２０】
図５は、図１の線５−５に概して沿ってとられた連結アセンブリ１０の断面図である。表しているように、チューブ端部形状２０が迅速接続６０中に挿入されると、保持クリップ９０が、チャネル２８中にスナップ留めし、それによって迅速接続６０内部にチューブ端部形状２０を係止する。それに付加して、チューブ端部形状２０が迅速接続６０と完全に係合されると、放射方向外向き表面２６が、放射方向内向き表面８０に当接するか、又はそれに近接して配設される。
【００２１】
図６は、連結アセンブリ１１０の斜視図である。図７は、連結アセンブリ１１０の分解斜視図である。連結アセンブリ１１０は、概して、チューブ端部形状１２０と、表示器タブ１４０と、迅速接続１６０と、保持クリップ１９０と、を備える。
【００２２】
チューブ端部形状１２０は、概して、端部１２２と、放射方向外向き表面１２４と、放射方向外向き表面１２６と、放射方向外向き表面１３０と、端部１３２と、を備える円筒形チューブである。放射方向外向き表面１２６は、円錐台形であり、端部１２２から端部１３２に向かって軸線方向に直径が増加する。放射方向外向き表面１２４及び１３０は、円筒形であり、一定直径を有する。例示の実施形態において、放射方向外向き表面１２４及び１３０は、可変直径を有する。放射方向外向き表面１３０は、チャネル１２８内に配列されてもよい。チューブ端部形状１２０は、最初に端部１７４中に挿入される端部１２２を用いて迅速接続１６０中に挿入されるように配列され、その態様が以下で更に詳細に論じられることになる。一旦チューブ端部形状１２０が迅速接続１６０中に完全に挿入されると、表示器タブ１４０は、迅速接続１６０から取り外されてもよい。しかし、チューブ端部形状１２０が完全に迅速接続１６０中に挿入されていない場合、表示器タブ１４０は、迅速接続１６０から取り外され得ない。
【００２３】
保持クリップ１９０は、迅速接続１６０内の開口を係合し、その中にチューブ端部形状１２０を係止するように配列された１つ又は複数の突起を備える。表されている実施形態において、保持クリップ１９０は、端部１９４と、端部１９６と、突起１９２Ａ〜Ｃと、を備える。保持クリップ１９０は、弾性変形可能である材料、例えば、ワイヤクリップ、保持リング又は任意の別の適したクリップを備える。
【００２４】
図８は、表示器タブ１４０の斜視図である。表示器タブ１４０は、アンカー１４２と、放射方向外向き表面１４４と、放射方向内向き表面１４６と、タブ１４８と、を含む。タブ１４８は、放射方向内向き表面１４６から放射方向内向きに延在し、放射方向内向き表面１５０を備え、当該タブは、少なくとも部分的に円錐台形である。例示の実施形態において、放射方向内向き表面１５０は、角度付き平坦表面である。例示の実施形態において、放射方向内向き表面１５０は、平坦表面である。いくつかの実施形態において、放射方向内向き表面１５０は、曲線表面である。表示器タブ１４０は、迅速接続１６０のスロット１６６中に挿入されるように設計されており、その態様が以下で更に詳細に論じられることになる。例示の実施形態において、アンカー１４２は、曲線又はＣ形状であるけれども、当然のことながら、ハンドル４２は、迅速接続６０と係合するのに適した任意の形状であってもよい。タブ１４８は、舌状部１５２を更に備えてもよくそこから延在する突起１５４を有する。例示の実施形態において、表示器タブ１４０が高周波識別（ＲＦＩＤ）タグ１５６を更に含むことにより、表示器タブ１４０は、自動的に識別及び追跡されてもよい。表示器タブ１４０は、一旦チューブ端部形状１２０が迅速接続１６０中に完全に挿入されると、単に迅速接続１６０から取り外され、それによって完全係合連結を保証してもよく、その態様が以下で更に詳細に論じられる。このように、連結アセンブリを走査することにより、表示器タブ１４０が迅速接続１６０に依然として接続されているか否かを決定することは有益であろう。また、表示器タブ廃棄レセプタクルを走査することにより、表示器タブ１４０が迅速接続１６０から既に取り外されて適切に廃棄されたか否かを決定し得ることは有益であろう。しかし、当然のことながら、表示器タブ１４０は、表示器タブ１４０が迅速接続１６０から取り外されたか否かを決定するのに適した任意の追跡装置を備えてもよい。
【００２５】
図９は、迅速接続１６０の斜視図である。迅速接続１６０は、概して、端部１６２と、、放射方向外向き表面１６４Ａと、放射方向外向き表面１６４Ｂと、溝１７０と、端部１７４と、放射方向内向き表面１７８と、放射方向内向き表面１８０と、を備える円筒形チューブ（図７及び１０に表す）である。放射方向外向き表面１６４Ａは、スロット１６６と、開口１６７と、を備える。スロット１６６は、放射方向外向き表面１６８を備える。アンカー１４２は、スロット１６６を係合するように作動可能に配列されており、タブ１４８は、開口１６７を係合し、それによって迅速接続１６０に表示器タブ１４０を接続するように作動可能に配列されている。当然のことながら、放射方向外向き表面１６４Ａは、迅速接続１６０に表示器タブ１４０を取外し可能に接続するのに適した任意の数のスロット及び／又は開口を備えてもよい。例えば、放射方向外向き表面１６４Ａは、１つ又は複数のスロット及び／又は１つ又は複数の開口を備えてもよい。溝１７０は、放射方向外向き表面１６４Ａと１６４Ｂとの間に軸方向に配列され、そして、１つ又は複数の開口、例えば開口１７２Ａ〜Ｃを備える。保持クリップ１９０が溝１７０内に作動可能に配列されて、突起１９２Ａ、１９２Ｂ及び１９２Ｃは、それぞれ開口１７２Ａ、１７２Ｂ及び１７２Ｃを係合する。当然のことながら、保持クリップ１９０の特定の突起が、迅速接続１６０の特定の突起に割り当てられる必要はない。例えば、突起１９２Ａ、１９２Ｂ及び１９２Ｃは、それぞれ、開口１７２Ｃ、１７２Ｂ及び１７２Ａ、又は任意の別の適した組合せを係合するように配列されてもよい。放射方向内向き表面１８０は、円錐台形であり、端部１６２から端部１７４に向かって軸線方向に直径が増加する。放射方向内向き表面１７８は、円筒形であり、一定直径Ｄ１を有する。例示的な実施形態において、放射方向内向き表面１７８は、可変直径を有する。放射方向外向き表面１６４Ｂは、切欠き１７６を更に備えてもよく、当該切欠きは、端部１７４から端部１６２に向かって軸線方向に延在する。
【００２６】
表示器タブ１４０が迅速接続１６０にアセンブルされると、タブ１４８が開口１６７を通って延在することにより、放射方向内向き表面１５０の直径が、端部１６２から端部１７４に向かって増加する。表示器タブ１４０がスロット１６６中に挿入されるにつれて、突起１５４が、軸方向表面１６９と干渉し、舌状部１５２が、変形させられる。表示器タブ１４０がスロット１６６内に完全に挿入されたとき、舌状部１５２は、突起１５４が軸方向表面１６９をクリアすると適所にスナップ留めが戻り（すなわち、タブ１４８は、放射方向内向き表面１７８から放射方向内向きに延在し）、放射方向外向き表面１４４は、放射方向外向き表面１６４Ａと同一平面にある。例示の実施形態において、放射方向外向き表面１４４は、表示器タブ１４０がスロット１６６中に完全に挿入されたとき、放射方向外向き表面１６４Ａと同一平面にはない。チューブ端部形状１２０が迅速接続１６０中に挿入されるにつれて、放射方向外向き表面１２６は、タブ１４８の放射方向内向き表面１５０を係合し、それで、表示器タブ１４０を放射方向外向きに押す。舌状部１５２は、突起１５４が軸方向表面１６９と干渉するにつれて再び変形させられる。チューブ端部形状１２０が迅速接続１６０中に完全に挿入されたとき、放射方向外向き表面１４４が、放射方向外向き表面１６４Ａから放射方向外向きに延在し、それでチューブ端部形状１２０が迅速接続１６０と完全に係合されたことを示す。表示器タブ１４０は、チューブ端部形状１２０が迅速接続１６０と完全に係合されるまで、放射方向外向き表面１６４Ａから突出することができない。例示の実施形態において、チューブ端部形状１２０が迅速接続１６０中に完全に挿入されると、突起１５４と舌状部１５２とは、スロット１６６から外に表示器タブ１４０を完全に押し出し（すなわち、迅速接続１６０から表示器タブ１４０を排出し）、それで、チューブ端部形状１２０が迅速接続１６０と完全に係合されたことを示すように配列されている。表示器タブ１４０は、チューブ端部形状１２０が迅速接続１６０と完全に係合されるまで、迅速接続１６０から排出され得ない。
【００２７】
図１０は、図６内の線１０−１０に沿って概してとられた連結アセンブリ１１０の断面図である。表しているように、チューブ端部形状１２０が迅速接続１６０中に挿入されると、保持クリップ１９０は、チャネル１２８中にスナップ留めし、それによって迅速接続１６０内部にチューブ端部形状１２０を係止する。それに付加して、チューブ端部形状１２０が迅速接続１６０と完全に係合されると、放射方向外向き表面１２６は、放射方向内向き表面１８０に当接するか、又はそれに近接した状態に配列される。
【００２８】
いうまでもなく、上記の開示並びに別の特徴及び機能の様々な態様又はそれらの代替は、多くの別の異なるシステム又はアプリケーションに望ましく組み合わされてもよい。様々な現在において予知又は予期されない代替、修正、変動又はそれらの改善が、続いて当業者によってなされてもよく、またそれらが以下の請求項によって包含されることが意図されている。
【符号の説明】
【００２９】
１０  接続アセンブリ
２０  チューブ端部形状
２２  端部
２４  放射方向外向き表面
２６  放射方向外向き表面
２８  チャネル
３０  放射方向外向き表面
３２  端部
４０  表示器タブ
４２  ハンドル
４３Ａ  端部
４３Ｂ  端部
４４  放射方向内向き表面
４６  アーム
４８  アーム
５０  開口
５２  高周波識別（ＲＦＩＤ）
６０  迅速接続
６２  端部
６４Ａ  放射方向外向き表面
６４Ｂ  放射方向外向き表面
６６  開口
６７  表面
６８  開口
６９  表面（図示せず）
７０  溝
７２Ａ  開口
７２Ｂ  開口
７２Ｃ  開口
７４  端部
７６  切欠き
７８  放射方向内向き表面
８０  放射方向内向き表面
９０  保持クリップ
９２Ａ  突起
９２Ｂ  突起
９２Ｃ  突起
９４  端部
９６  端部
１１０  接続アセンブリ
１２０  チューブ端部形状
１２２  端部
１２４  放射方向外向き表面
１２６  放射方向外向き表面
１２８  チャネル
１３０  放射方向外向き表面
１３２  端部
１４０  表示器タブ
１４２  アンカー
１４４  放射方向外向き表面
１４６  放射方向内向き表面
１４８  タブ
１５０  放射方向内向き表面
１５２  舌状部
１５４  突起
１５６  高周波識別（ＲＦＩＤ）
１６０  迅速接続
１６２  端部
１６４Ａ  放射方向外向き表面
１６４Ｂ  放射方向外向き表面
１６６  スロット
１６７  開口
１６８  放射方向外向き表面
１６９  軸線方向表面
１７０  溝
１７２Ａ  開口
１７２Ｂ  開口
１７２Ｃ  開口
１７４  端部
１７６  切欠き
１７８  放射方向内向き表面
１８０  放射方向内向き表面
１９０  保持クリップ
１９２Ａ  突起
１９２Ｂ  突起
１９２Ｃ  突起
１９４  端部
１９６  端部
Ｌ１  距離
Ｌ２  距離（図示せず）
Ｄ１  直径
【図１】
0006970812.tif 000002
【図２】
0006970812.tif 000003
【図３】
0006970812.tif 000004
【図４】
0006970812.tif 000005
【図５】
0006970812.tif 000006
【図６】
0006970812.tif 000007
【図７】
0006970812.tif 000008
【図８】
0006970812.tif 000009
【図９】
0006970812.tif 000010
【図１０】
0006970812.tif 000011